(57)【要約】【課題】対物レンズの切換操作がしやすい顕微鏡を提供すること。【解決手段】顕微鏡本体１と、顕微鏡本体１に回転自在に設けられ、かつ、複数の対物レンズが装着されたレボルバ装置と、対物レンズの焦点を調整する焦準ハンドル７Ｌ，７Ｒとを備えた顕微鏡において、焦準ハンドル７Ｌ、７Ｒの近傍に設けられ、所定方向に所定量の移動操作が可能な操作ノブ８Ｌａ，８Ｌｂ，８Ｒａ，８Ｒｂと、操作ノブ８Ｌａ，８Ｌｂ，８Ｒａ，８Ｒｂとレボルバ装置との間に設けられ、操作ノブ８Ｌａ，８Ｌｂ，８Ｒａ，８Ｒｂが移動操作された場合に操作力をレボルバ装置に伝達し、一回の所定量の移動操作によって対物レンズが切り替わるように移動体を移動させる操作力伝達機構とを備えるようにした。【選択図】図２
2010033025.tif 000002
【特許請求の範囲】
【請求項１】
顕微鏡本体と、顕微鏡本体に移動自在に設けられ、かつ、複数の光学素子が装着された移動体と、光学素子の焦点を調整する焦準操作部とを備えた顕微鏡において、
前記焦準操作部の近傍に設けられ、所定方向に所定量の移動操作が可能な光学素子切換操作部と、
光学素子切換操作部と移動体との間に設けられ、光学素子切換操作部が移動操作された場合に操作力を移動体に伝達し、一回の所定量の移動操作によって光学素子が切り替わるように移動体を移動させる操作力伝達機構と
を備えたことを特徴とする顕微鏡。
【請求項２】
前記光学素子切換操作部は、所定方向に所定量の移動操作が可能な第一の光学素子切換操作部と、第一の光学素子切換操作部と同一方向に同一量の移動操作可能な第二の光学素子切換操作部とを有し、
前記操作力伝達機構は、前記第一の光学切換操作部が移動操作された場合に前記移動体を一方向に移動させ、前記第二の光学素子切換操作部が移動操作された場合に前記移動体を一方向と反対方向に移動させることを特徴とする請求項１に記載の顕微鏡。
【請求項３】
前記第一の光学素子切換操作部と前記第二の光学素子切換操作部とは、前記焦準操作部の後方に上下方向に並べて配設したことを特徴とする請求項２に記載の顕微鏡。
【請求項４】
前記所定量の移動操作が３０ミリから７０ミリまでの範囲で設定されたことを特徴とする請求項１〜３のいずれか一つに記載の顕微鏡。
【請求項５】
前記光学素子切換操作部は、顕微鏡本体の左側と顕微鏡本体の右側とに設けられたことを特徴とする請求項１〜４のいずれか一つに記載の顕微鏡。
【請求項６】
前記移動操作は、直動操作あるいは回転操作であることを特徴とする請求項１〜５のいずれか一つに記載の顕微鏡。
【請求項７】
前記光学素子切換操作部は、
顕微鏡本体に支承され、移動体の位置を識別する識別符号が付された回転操作式の操作ダイヤルであって、
移動体の位置と対応する識別符号が移動した位置と一致するように、顕微鏡本体に小窓を設けたことを特徴とする請求項１に記載の顕微鏡。
【発明の詳細な説明】
【技術分野】
【０００１】
本発明は、焦準ハンドルあるいはステージハンドルの近傍に配設した操作レバーを操作することにより、焦準ハンドルあるいはステージハンドルの操作姿勢を崩すことなく、対物レンズ等の光学素子を切り換えることができる顕微鏡に関するものである。
【背景技術】
【０００２】
焦準ハンドルの操作姿勢を崩すことなく、対物レンズを切り換えることができる顕微鏡のレボルバ装置が提案されている。このレボルバ装置は、鏡筒の下側に固定されたレボルバ本体と、レボルバ本体に回転自在に設けられ、かつ、複数の対物レンズが装着されたレボルバ回転部と、レボルバ回転部から離れた焦準ハンドルの近傍に設けられ、対物レンズの切換操作が入力される摘み部と、摘み部とレボルバ回転部との間に設けられ、摘み部から入力された対物レンズの切換操作をレボルバ回転部に伝達する伝達手段とを備えている。
【０００３】
伝達手段は、摘み部が先端に取り付けられた回転軸、回転軸の基端側に取り付けられた駆動プーリ、レボルバ回転部に形成された従動プーリ、駆動プーリと従動プーリとに巻回されたベルトにより構成されている。したがって、摘み部から入力される対物レンズの切換操作入力は、回転操作入力であって、入力された回転操作入力は、駆動プーリからベルトを介してレボルバ回転部に伝達されることになる（例えば、特許文献１参照）。
【０００４】
ところで、手動操作により対物レンズを切り換える顕微鏡は、対物レンズを正確に停止位置に規定（位置決め）するために、レボルバ本体とレボルバ回転部との間にクリック機構が設けてある（図５参照）。クリック機構１４は、例えば、レボルバ本体に設けたクリック１５と、レボルバ回転部１２に設けたボール１６とにより構成される。クリック１５は、レボルバ本体の上面に取り付けた板バネであって、両方向からボール１６を迎え入れることができるように、両側縁部１５ａが斜めに折り曲げてあり、その中央にボールが嵌る溝１５ｂが設けてある。ボール１６は、レボルバ回転部１２の上面に形成された半球形の突起であり、対物レンズの停止位置（切換位置）に対応するように設けてある。そして、対物レンズを切り換える場合には、クリック１５の溝１５ｂに嵌ったボール１６がクリック１５の溝１５ｂから外れた後、クリック１５が次のボール１６を迎え入れ、クリック１５の溝１５ｂに次のボール１６が嵌ることになる。
【０００５】
上述した焦準ハンドルの近傍に摘み部を設けた顕微鏡も手動操作により対物レンズを切り換える顕微鏡である以上、レボルバ回転部１２とレボルバ本体との間にクリック機構１４が設けてある。そして、摘み部を回転操作することにより、対物レンズを切り換えると、クリック１５の溝１５ｂに嵌ったボール１６がクリック１５の溝１５ｂから外れた後、クリック１５が次のボール１６を迎え入れ、クリック１５の溝１５ｂに次のボール１６が嵌ることになる。
【先行技術文献】
【特許文献】
【０００６】
【特許文献１】特開平８−２２０４４３号公報
【発明の概要】
【発明が解決しようとする課題】
【０００７】
しかしながら、上述した顕微鏡のレボルバ装置は、摘み部から入力された回転操作が駆動プーリからベルトを介してレボルバ回転部に伝達されるため、摘み部から入力する回転操作量とレボルバ回転部１２の回転量とは比例関係を有するものの、ボール１６をクリック１５から外したり、ボール１６をクリック１５に嵌めたりするのに力を必要とするため、対物レンズの切換開始直後と切換終了直前とに摘み部から大きな操作力量を入力する必要がある。このように、対物レンズの切換直後と切換終了直前とに大きな操作力量の入力を必要とするので、対物レンズの切換操作がしにくいものとなっていた。
【０００８】
本発明は、上記に鑑みてなされたものであって、対物レンズ等の光学素子の切換開始直後と切換終了直前とに必要とする操作力量を軽減し、対物レンズ等の光学素子の切換操作がしやすい顕微鏡を提供することを目的とする。
【課題を解決するための手段】
【０００９】
上述した課題を解決し、目的を達成するために、本発明は、顕微鏡本体と、顕微鏡本体に移動自在に設けられ、かつ、複数の光学素子が装着された移動体と、光学素子の焦点を調整する焦準操作部とを備えた顕微鏡において、前記焦準操作部の近傍に設けられ、所定方向に所定量の移動操作が可能な光学素子切換操作部と、光学素子切換操作部と移動体との間に設けられ、光学素子切換操作部が移動操作された場合に操作力を移動体に伝達し、一回の所定量の移動操作によって光学素子が切り替わるように移動体を移動させる操作力伝達機構とを備えたことを特徴とする。
【００１０】
また、本発明は、上記発明において、前記光学素子切換操作部は、所定方向に所定量の移動操作が可能な第一の光学素子切換操作部と、第一の光学素子切換操作部と同一方向に同一量の移動操作可能な第二の光学素子切換操作部とを有し、前記操作力伝達機構は、前記第一の光学切換操作部が移動操作された場合に前記移動体を一方向に移動させ、前記第二の光学素子切換操作部が移動操作された場合に前記移動体を一方向と反対方向に移動させることを特徴とする。
【００１１】
また、本発明は、上記発明において、前記第一の光学素子切換操作部と前記第二の光学素子切換操作部とは、前記焦準操作部の後方に上下方向に並べて配設したことを特徴とする。
【００１２】
また、本発明は、上記発明において、前記所定量の移動操作が３０ミリから７０ミリまでの範囲で設定されたことを特徴とする。
【００１３】
また、本発明は、上記発明において、前記光学素子切換操作部は、顕微鏡本体の左側と顕微鏡本体の右側とに設けられたことを特徴とする。
【００１４】
また、本発明は、上記発明において、前記移動操作は、直動操作あるいは回転操作であることを特徴とする。
【００１５】
また、本発明は、上記発明において、前記光学素子切換操作部は、顕微鏡本体に支承され、移動体の位置を識別する識別符号が付された回転操作式の操作ダイヤルであって、移動体の位置と対応する識別符号が移動した位置と一致するように、顕微鏡本体に小窓を設けたことを特徴とする。
【発明の効果】
【００１６】
本発明にかかる顕微鏡は、焦準操作部の近傍に設けられ、所定方向に所定量の移動操作が可能な光学素子切換操作部と、光学素子切換操作部と移動体との間に設けられ、光学素子切換操作部が移動操作された場合に操作力を移動体に伝達し、一回の所定量の移動操作によって光学素子が切り替わるように移動体を移動させる操作力伝達機構とを備えたので、光学素子の切換操作がしやすいものとなる。
【図面の簡単な説明】
【００１７】
【図１】図１は、本発明の実施の形態１である顕微鏡の右側面図である。
【図２】図２は、本発明の実施の形態１である顕微鏡の平面図である。
【図３】図３は、本発明の実施の形態１である顕微鏡のレボルバ装置を示す平面図である。
【図４】図４は、本発明の実施の形態１である顕微鏡のレボルバ装置を示す側断面図である。
【図５】図５は、図３に示したクリック機構の拡大側面図である。
【図６】図６は、本発明の実施の形態１である顕微鏡のレボルバ装置を示す平面図であって、駆動ギアの上に配設したカム、レボルバ切換レバーを示したものである。
【図７−１】図７−１は、リンクとカムとの関係を示す模式図であって、待機状態を示したものである。
【図７−２】図７−２は、リンクとカムとの関係を示す模式図であって、切換操作開始時の状態を示したものである。
【図７−３】図７−３は、リンクとカムとの関係を示す模式図であって、切換操作開始直後の状態を示したものである。
【図７−４】図７−４は、リンクとカムとの関係を示す模式図であって、切換操作途中の状態を示したものである。
【図７−５】図７−５は、リンクとカムとの関係を示す模式図であって、切換操作終了時の状態を示したものである。
【図８−１】図８−１は、リンクとカムとの関係を示す模式図であって、復帰操作開始時の状態を示したものである。
【図８−２】図８−２は、リンクとカムとの関係を示す模式図であって、復帰操作途中の状態を示したものである。
【図８−３】図８−３は、リンクとカムとの関係を示す模式図であって、復帰操作終了直前の状態を示したものである。
【図８−４】図８−４は、リンクとカムとの関係を示す模式図であって、復帰操作終了後の状態を示したものである。
【図９】図９は、本発明の実施の形態２である顕微鏡のレボルバ装置を示す平面図である。
【図１０】図１０は、本発明の実施の形態３である顕微鏡のコンデンサ装置を示す斜視図である。
【図１１】図１１は、図１０に示したコンデンサ装置の平面図である。
【図１２】図１２は、本発明の実施の形態３である倒立顕微鏡の模式図である。
【図１３】図１３は、図１２に示した変速機の詳細を示す模式図である。
【図１４−１】図１４−１は、カムと作動ピンとの関係を示す模式図であって、待機状態を示したものである。
【図１４−２】図１４−２は、カムと作動ピンとの関係を示す模式図であって、回転軸を四分の一回転させた状態を示したものである。
【図１４−３】図１４−３は、カムと作動ピンとの関係を示す模式図であって、回転軸を二分の一回転させた状態を示したものである。
【図１４−４】図１４−４は、カムと作動ピンとの関係を示す模式図であって、回転軸を四分の三回転させた状態を示したものである。
【図１５】図１５は、図１２に示した倒立顕微鏡の前面部を示す模式図である。
【発明を実施するための形態】
【００１８】
以下に添付図面を参照して、本発明に係る顕微鏡の好適な実施の形態を詳細に説明する。なお、この実施の形態によりこの発明が限定されるものではない。
【００１９】
（実施の形態１）
実施の形態１では、顕微鏡の光学素子切換装置をレボルバ装置に適用した例について説明する。
【００２０】
まず、図１及び図２に基づいて、本発明の実施の形態１である顕微鏡の概要を説明する。なお、図１は、本発明の実施の形態１である顕微鏡の右側面図であり、図２は、本発明の実施の形態１である顕微鏡の平面図である。
【００２１】
図１及び図２に示すように、光学素子切換装置をレボルバ装置１０に適用した顕微鏡は、顕微鏡本体１、鏡筒２、ステージ３を備えている。鏡筒２は、顕微鏡本体１のアーム先端に設置され、接眼レンズ４を介して像が観察されるようになっている。ステージ３は、左右方向（Ｘ方向）及び前後方向（Ｙ方向）並びに上下方向（Ｚ方向）に移動可能であって、顕微鏡本体１の右側面に配設してあるステージハンドル６を回転操作することにより、ステージ３を左右方向（Ｘ方向）及び前後方向（Ｙ方向）に移動させることができるようになっており、顕微鏡本体１の左側面に配設してある焦準ハンドル７Ｌあるいは顕微鏡本体１の右側面に配設してある焦準ハンドル７Ｒを操作することにより、ステージ３を上下方向（Ｚ方向）に移動させることができるようになっている。
【００２２】
つぎに、図３及び図４に基づいて、本発明の実施の形態１である顕微鏡のレボルバ装置を説明する。なお、図３は、本発明の実施の形態１である顕微鏡のレボルバ装置を示す平面図であり、図４は、本発明の実施の形態１である顕微鏡のレボルバ装置を示す側断面図である。
【００２３】
図４に示すように、本発明の実施の形態１である顕微鏡のレボルバ装置１０は、対物レンズ５を切り換えるためのもので、顕微鏡本体１のアーム先端の下側に固定されたレボルバ本体（本体）１１と、レボルバ本体１１に回転自在に設けられたレボルバ回転部（移動体）１２とを備えている。
【００２４】
レボルバ本体１１には、光路１１ａが形成してあり、対物レンズ５を通った光が顕微鏡本体１のアーム先端と鏡筒２を経て接眼レンズ４に届くようになっている。
【００２５】
レボルバ回転部１２には、複数の対物レンズ（光学素子）５が装着可能であって、本実施の形態であるレボルバ装置１０のレボルバ回転部１２には、５つの対物レンズ５が装着されるようになっている。具体的には、図３に示すように、レボルバ回転部１２の回転中心から同一半径となる位置であって、等間隔となる位置に対物レンズ５が装着されるネジ穴１２ａが形成してある。したがって、レボルバ回転部１２を図３において時計方向あるいは反時計方向に五分の一回転させると、対物レンズ５が切り換わるようになっている。
【００２６】
図４に示すように、レボルバ回転部１２の外周には、従動ギア１３が形成してある。従動ギア１３の歯数は、装着される対物レンズ５の数で割り切れる数であって、本実施の形態では、５で割り切れる歯数を有している。
【００２７】
図３に示すように、レボルバ本体１１とレボルバ回転部１２との間には、クリック機構１４が設けてある。クリック機構１４は、対物レンズ５を停止位置に正確に停止させるためのもので、本実施の形態のクリック機構１４は、図５に示すように、レボルバ本体１１に設けたクリック１５と、レボルバ回転部１２に設けたボール１６とにより構成されている。クリック１５は、レボルバ本体１１の上面に取り付けた板バネであって、両方向からボール１６を迎え入れることができるように、両側縁部１５ａが斜めに折り曲げてあり、その中央にボール１６が嵌る溝１５ｂが設けてある。ボール１６は、レボルバ回転部１２の縁部上面に形成された半球形の突起であり、対物レンズ５の停止位置（切換位置）に対応するように設けてある。そして、対物レンズ５を切り換える場合には、溝１５ｂに嵌ったボール１６が溝１５ｂから外れ、その後、迎え入れた次のボール１６が溝１５ｂに嵌ることになる。
【００２８】
図３に示すように、レボルバ回転部１２の奥方には、従動ギア１３と噛合する駆動ギア２０が配設してある。駆動ギア２０は、レボルバ回転部１２を回転させるためのもので、レボルバ本体１１に設けられた回転軸２１の周りに回転自在に取り付けてある。駆動ギア２０のピッチ円直径は、従動ギア１３のピッチ円直径の五分の四で、駆動ギア２０を四分の一回転させると従動ギア１３が五分の一回転するようになっている。したがって、駆動ギア２０を図３において時計方向あるいは反時計方向に四分の一回転させると、対物レンズ５が切り換わるようになっている。
【００２９】
図４に示すように、駆動ギア２０の上には、駆動ギア２０を図３において時計方向に回転させるカム２２とレボルバ切換レバー２３とが配設してあり、駆動ギア２０の下には、駆動ギア２０を反時計方向に回転させるカム２２とレボルバ切換レバー２３とが配設してある。駆動ギア２０を時計方向に回転させるカム２２と、駆動ギア２０を反時計方向に回転させるカム２２とは、駆動ギア２０を境にして上下反対となるように取り付けたものであり、図３に示すように、同一形状を有している。同様に、駆動ギア２０を時計方向に回転させるレボルバ切換レバー２３と、駆動ギア２０を反時計方向に回転させるレボルバ切換レバー２３とは、駆動ギア２０を境にして上下反対となるように取り付けたものであり、同一形状を有している。
【００３０】
したがって、ここでは、図４及び図６に基づいて、駆動ギア２０の上に配設したカム２２とレボルバ切換レバー２３とを説明することとする。なお、図６は、本発明の実施の形態である顕微鏡のレボルバ装置１０を示す平面図であって、駆動ギア２０の上に配設したカム２２、レボルバ切換レバー２３を示したものである。また、説明の便宜上、レボルバ切換レバー２３を図６において、二点鎖線で示すこととする。
【００３１】
図４に示すように、カム２２は、駆動ギア２０のすぐ上に配設してあり、レボルバ切換レバー２３はカム２２の上に配設してある。これらカム２２とレボルバ切換レバー２３とは、駆動ギア２０の回転中心となる回転軸２１の周りに回転可能に取り付けてある。
【００３２】
図６に示すように、カム２２は、駆動ギア２０を回転させるためのものであって、３６０度を等分する四つのアーム２２ａを有している（隣り合うアーム２２ａは９０度の位相差を有している）。各アーム２２ａは、カム２２の回転中心から径外方向に放射状に延在しており、その一方の側面が押圧面（カム面）２２ａ１となり、他方の側面が退避面（カム面）２２ａ２となっている。
【００３３】
四つのアーム２２ａのうち、一つのアーム２２ａには、カム凸部２４が設けてある。カム凸部２４は、カム２２と駆動ギア２０とを連結するためのものであり、カム凸部２４は駆動ギア２０に形成された扇状の長溝２０ａに挿通され、カム２２（アーム２２ａ）と駆動ギア２０との間に張架されたバネ２２ｂによって回転方向（図６において時計方向）に付勢されている。したがって、カム２２を図６において時計方向に回転させれば、カム２２と駆動ギア２０とは一体となって回転し、バネ２２ｂの付勢力に抗してカム２２を反時計方向に回転させれば、カム凸部２４が長溝２０ａを空転し、カム２２のみが回転するようになっている。
【００３４】
レボルバ切換レバー２３は、略二等辺三角形状を呈しており、その頂部は駆動ギア２０の回転中心となる回転軸２１の周りに回転可能に取り付けてあり、左側方に設けたストッパ２３ａと、右側方に設けたストッパ２３ｂとによって、レボルバ切換レバー２３の回転が規制されるようになっている。レボルバ切換レバー２３の一方の底部には、回転軸２７を介してリンク２５が回転可能に取り付けてある。また、レボルバ本体１１とレボルバ切換レバー２３との間には、バネ２３ｃが張架してあり、レボルバ切換レバー２３は、図３において反時計方向に回転するように付勢されている。リンク２５は、ギア部２５ａ、リンク部２５ｂ、リンク凸部２５ｃを有している。ギア部２５ａは、レボルバ本体１１に固定された内歯歯車２６と噛合しており、レボルバ切換レバー２３を図６において時計方向に回転させると、リンク２５が反時計方向に回転するようになっている。すなわち、レボルバ切換レバー２３を時計方向に回転させると、リンク２５は駆動ギア２０の回転中心となる回転軸２１の周りを公転するとともに、リンク２５の回転中心となる回転軸２７の周りを自転することになる。なお、内歯歯車２６とギア部２５ａとのピッチ円直径比は６対１であり、レボルバ切換レバー２３の回転角に対するリンク２５の回転角は公転分を差し引いて５倍となる。
【００３５】
リンク部２５ｂは、リンク２５の回転中心から径外方向に延在しており、その延在端部下面には、リンクピン２８が設けてある。リンクピン２８は、押圧面２２ａ１を移動しながら押圧することにより、カム２２を回転させるものであって、レボルバ切換レバー２３を図６において時計方向に回転させると、リンク２５が反時計方向に回転し、リンクピン２８が押圧面２２ａ１を移動しながら押圧するようになっている。
【００３６】
リンク２５と駆動ギア２０との間には、ストッパ機構が設けてある。ストッパ機構は、慣性によるレボルバ回転部１２の停止位置のズレを防止するためのもので、リンク２５に形成されたリンク凸部２５ｃと、駆動ギア２０の上面に取り付けられたギアストッパ３２とにより、構成されている。
【００３７】
リンク凸部２５ｃは、リンク２５の回転中心から径外方向に延在しており、その端部下面には、折り曲げることにより、下方に延在したストッパ片２５ｃ１を有している。
【００３８】
ギアストッパ３２は、上方に延在したストッパ片３２ａを有しており、切換操作を終了した場合に、ストッパ片２５ｃ１とわずかな隙間を介して向かい合うようになっている。そして、ストッパ片２５ｃ１がギアストッパ３２に衝突した場合であっても、クリック機構１４においてボール１６が溝１５ｂの内部に位置し、ボール１６が溝１５ｂの中央に収まると、ストッパ片３２ａは、ストッパ片２５ｃ１とわずかな隙間を介して向かい合うことになる。
【００３９】
図７及び図８に基づいて、より詳細に説明する。なお、図７及び図８は、リンクとカムとの関係を示した模式図である。
【００４０】
レボルバ切換レバー２３を切換操作する前の待機状態では、図６に示すように、レボルバ切換レバー２３の左側縁がストッパ２３ａに当接している。この待機状態では、図７−１に示すように、リンクピン２８と押圧面２２ａ１とが離反しており、リンクピン２８がカム２２に作用することはない。したがって、カム２２は、回転自在であって、レボルバ回転部１２を回転操作（手動操作）しても、駆動ギア２０及びカム２２は回転するものの、リンクピン２８にカム２２の回転が伝達されることはない。したがって、本実施の形態であるレボルバ装置１０は、レボルバ回転部１２を手動操作することにより、対物レンズ５を自由に切り換えることができる。
【００４１】
図７−２に示すように、レボルバ切換レバー２３を時計方向にわずかに回転させ、切換操作を開始すると、リンク２５が反時計方向に回転し、リンクピン２８が押圧面２２ａ１に接することになる。そして、レボルバ切換レバー２３の操作力が、カム２２、駆動ギア２０、従動ギア１３（レボルバ回転部１２）の順に伝達され、クリック機構１４において、クリック１５の溝１５ｂからボール１６が外れるための力が作用することになる。このとき、リンクピン２８がリンクピン２８の移動域においてカム２２の回転中心から径外方向に離隔した位置で押圧面２２ａ１を押圧することになり、かつ、リンクピン２８の移動方向とカム２２の移動方向とが略直角となるので、クサビ効果により大きな分力が生じ、操作力量が低減される。
【００４２】
図７−３に示すように、レボルバ切換レバー２３を時計方向にさらに回転させると、クリック機構１４において、クリック１５からボール１６が外れるための力が作用することになる。このとき、図７−３に示すように、リンクピン２８と押圧面２２ａ１との接点（力点）がカム２２の回転中心（支点）にわずかに近づくことになるが、既にボール１６がクリック１５の溝１５ｂから外れているので、大きな回転力（力量）を必要としない。したがって、小さな回転力（力量）でレボルバ切換レバー２３を回転させることができる。
【００４３】
図７−４に示すように、レボルバ切換レバー２３を時計方向にさらに回転させると、リンクピン２８と押圧面２２ａ１との接点（力点）がカム２２の回転中心（支点）に最も近づくことになる。このため、レボルバ切換レバー２３の操作量に比べカム２２の回転量は大きくなるが、ボール１６がクリック１５から外れているので、ごくわずかな操作力（力量）でレボルバ切換レバー２３を回転させることができる。
【００４４】
図７−５に示すように、レボルバ切換レバー２３を時計方向にさらに回転させると、クリック機構１４において、クリック１５がボール１６を迎え入れるための力が作用することになる。このとき、リンクピン２８と押圧面２２ａ１との接点（力点）がカム２２の回転中心（支点）からリンクピン２８の移動域において最も径外方向に離隔することになるので、小さな回転力（力量）でレボルバ切換レバー２３を回転させることができる。
【００４５】
そして、ストッパ２３ｂに当接するまでレボルバ切換レバー２３を時計方向に回転させると、対物レンズ５が切り替わり、ストッパ片３２ａとストッパ片２５ｃ１とは、わずかな隙間を介して向かい合う。ところで、レボルバ回転部１２の慣性により、レボルバ回転部１２が過回転（オーバーラン）すると、ストッパ片３２ａとストッパ片２５ｃ１とが衝突し、レボルバ回転部１２の回転を停止させる。このとき、クリック機構においてボール１６が溝１５ｂの内部に位置するので、その後、クリック１５の弾性復元力がボール１６に作用し、ボール１６が溝１５ｂの中央に収まるように、レボルバ回転部１２をわずかに回転（逆転）させる。すると、ボール１６が溝１５ｂの中央に収まり、レボルバ回転部１２が正規の位置（切替終了位置）に停止することになる。
【００４６】
図８−１に示すように、レボルバ切換レバー２３を復帰操作する前の状態では、ストッパ片３２ａとストッパ片２５ｃ１とが、わずかな隙間を介して向かい合っている。そして、復帰操作が開始すると、バネ２３ｃの付勢力が作用して、レボルバ切換レバー２３が反時計方向に回転する。すると、図８−２に示すように、リンク２５が時計方向に回転を始め、リンクピン２８が押圧面２２ａ１から離れ、退避面２２ａ２に接することになる。
【００４７】
そして、図８−３に示すように、リンクピン２８は、退避面２２ａ２を押圧することにより、カム２２を反時計方向に回転させ、カム凸部２４が長溝２０ａを空転することになる。すなわち、カム凸部２４が長溝２０ａの右側縁部から離反することになる。
【００４８】
その後、ストッパ２３ａに当接するまでレボルバ切換レバー２３を反時計方向に回転させると、図８−４に示すように、リンクピン２８が退避面から離脱し、リンクピン２８がカム２２に作用しなくなる。すると、バネ２２ｂの弾性復元力がカム２２に作用し、カム凸部２４が長溝２０ａの右側縁部に接することになる（待機状態）。
【００４９】
以上説明したように、レボルバ切換レバー２３を切換操作すると、カム２２は四分の一回転することになる。
【００５０】
図２に示すように、駆動ギア２０の上に配設したレボルバ切換レバー２３の他方の底部には、リンク４１が回転自在に接続してあり、レボルバ切換レバー２３は、リンク４１と、リンク４１に一端が回転自在に接続されたリンク４２とともに、四節リンクのタスキがけを構成している。リンク４２の他端には、回転軸４３の一端が固定してあり、回転軸４３の他端には操作レバー４４の一端が固定してある。したがって、操作レバー４４とリンク４２とは、回転軸４３の軸回りに回転するようになっている。この操作レバー４４は、顕微鏡本体１の左側面に配設された焦準ハンドル７Ｌの後方近傍まで延在し、その端部には、操作ノブ（第一の光学素子切換操作部）８Ｌａが取り付けてある。
【００５１】
駆動ギア２０の下に配設したレボルバ切換レバー２３の他方の底部には、リンク４５が回転自在に接続してあり、レボルバ切換レバー２３は、リンク４５と、リンク４５に一端が回転自在に接続されたリンク４６とともに、四節の平行リンクを構成している。リンク４６の他端には、回転軸４７の一端が固定してあり、回転軸４７の他端には操作レバー４８の一端が固定してある。したがって、操作レバー４８とリンク４６とは、回転軸４７の軸回りに回転するようになっている。この操作レバー４８は、顕微鏡本体の左側面に配設された焦準ハンドル７Ｌの後方近傍まで延在し、その端部には、操作ノブ（第二の光学素子切換操作部）８Ｌｂが取り付けてある。
【００５２】
操作ノブ８Ｌａと操作ノブ８Ｌｂとは、上下方向に並べてあり、焦準ハンドル７Ｌの操作姿勢を崩すことなくレボルバ装置１０を操作するためのもので、薬指あるいは小指によっても手動操作できるようになっている。操作ノブ８Ｌａ，８Ｌｂは、いずれか一方を所定量だけ、より具体的には、３０ミリから７０ミリの範囲で任意に設定された操作量だけ、手前に引くことによって操作され、手前の操作ノブ８Ｌａを引くと、レボルバ回転部１２が図２において反時計方向に回転し、奥の操作ノブ８Ｌｂを引くと、レボルバ回転部１２が図２において時計方向に回転するようになっている。
【００５３】
上述した回転軸４３には、扇形形状を有するセクタギア５０が固定してある。セクタギア５０には、同一形状を有するセクタギア５１が噛合しており、セクタギア５０が反時計方向に回転すると、セクタギア５１が時計方向に回転するようになっている。セクタギア５１は、回転可能に支持された回転軸５２に固定してあり、この回転軸５２には、操作レバー５３の一端が固定してある。したがって、操作レバー５３とセクタギア５１とは、回転軸５２の軸回りに回転するようになっている。この操作レバー５３は、顕微鏡本体１の右側面に配設された焦準ハンドル７Ｒの後方近傍まで延在し、その端部には、操作ノブ（第一の光学素子切換操作部）８Ｒａが取り付けてある。そして、操作レバー５３は、操作レバー４４と連動し、操作ノブ８Ｒａを手前に引くと、操作ノブ８Ｌａが手前に移動し、操作ノブ８Ｌａを手前に引くと、操作ノブ８Ｒａが手前に移動するようになっている。
【００５４】
上述した回転軸４７には、扇形形状を有するセクタギア５４が固定してある。セクタギア５４には、同一形状を有するセクタギア５５が噛合しており、セクタギア５４が反時計方向に回転すると、セクタギア５５が時計方向に回転するようになっている。セクタギア５５は、回転可能に支持された回転軸５６に固定してあり、この回転軸５６には、操作レバー５７の一端が固定してある。したがって、操作レバー５７とセクタギア５５とは、回転軸５６の軸回りに回転するようになっている。この操作レバー５７は、顕微鏡本体の右側面に配設された焦準ハンドル７Ｒの後方近傍まで延在し、その端部には、操作ノブ（第二の光学素子切換操作部）８Ｒｂが取り付けてある。そして、操作レバー５７は、操作レバー４８と連動し、操作ノブ８Ｒｂを手前に引くと、操作ノブ８Ｌｂが手前に移動し、操作ノブ８Ｌｂを手前に引くと、操作ノブ８Ｒｂが手前に移動するようになっている。
【００５５】
操作ノブ８Ｒａと操作ノブ８Ｒｂとは、上下方向に並べてあり、焦準ハンドル７Ｒの操作姿勢を崩すことなくレボルバ装置１０を操作するためのもので、薬指あるいは小指によっても手動操作できるようになっている。操作ノブ８Ｒａ，８Ｒｂは、いずれか一方を所定量だけ、より具体的には、３０ミリから７０ミリの範囲で任意に設定された操作量だけ、手前に引くことによって操作され、手前の操作ノブ８Ｒａを引くと、レボルバ回転部１２が図２において反時計方向に回転し、奥の操作ノブ８Ｒｂを引くと、レボルバ回転部１２が図２において時計方向に回転するようになっている。
【００５６】
上述した実施の形態である顕微鏡のレボルバ装置１０は、上述したように、回転軸４３に固定したセクタギア５０と回転軸５２に固定したセクタギア５１とが噛合しているので、操作ノブ８Ｌａ，８Ｒａのいずれか一方を操作すれば、レボルバ回転部１２が図２において反時計方向に回転する。同様に、回転軸４７に固定したセクタギア５４と回転軸５６に固定したセクタギア５５とが噛合しているので、操作ノブ８Ｌｂ，８Ｒｂのいずれか一方を操作すれば、レボルバ回転部１２が図２において時計方向に回転する。したがって、顕微鏡を操作するオペレータは、操作しやすい側の操作ノブを適宜選択して操作すればよいことになる。
【００５７】
具体的には、操作ノブ８Ｌａ（８Ｒａ），８Ｌｂ（８Ｒｂ）のいずれか一方を手前に引くことによって操作される。操作ノブ８Ｌａ（８Ｒａ）の操作力は、リンク４２，４１を介してレボルバ切換レバー２３に伝達された後、リンク２５、リンクピン２８を介してカム２２に伝達され、操作ノブ８Ｌｂ（８Ｒｂ）の操作力は、リンク４６，４５を介してレボルバ切換レバー２３に伝達された後、リンク２５、リンクピン２８を介してカム２２に伝達される。
【００５８】
そして、操作ノブ８Ｌａ（８Ｒａ），８Ｌｂ（８Ｒｂ）の操作開始直後は、リンクピン２８がカム２２の回転中心から離れた位置で押圧面２２ａ１を押圧することになり、かつ、リンクピン２８の移動方向とカム２２の移動方向とが略直角となるので、クサビ効果により大きな分力が生じる。この結果、小さな操作力（力量）で、クリック１５の溝１５ｂからボール１６が外れることになる。
【００５９】
また、操作ノブ８Ｌａ（８Ｒａ），８Ｌｂ（８Ｒｂ）の操作終了直前は、操作ノブ８Ｌａ，８Ｌｂの操作開始直後と同様に、リンクピン２８がカムの回転中心から離れた位置で押圧面２２ａ１を押圧することになり、かつ、リンクピン２８の移動方向とカム２２の移動方向とが略直角となるので、クサビ効果により大きな分力が生じる。この結果、小さな操作力（力量）で、クリック１５がボール１６を迎え入れることになる。
【００６０】
上述した実施の形態である顕微鏡のレボルバ装置１０によれば、レボルバ回転部１２を手動操作することにより対物レンズ５を切り換えることもできれば、操作ノブ８Ｌａ（８Ｒａ），８Ｌｂ（８Ｒｂ）を手動操作することにより対物レンズ５を切り換えることもできる。
【００６１】
また、対物レンズ５の切換操作開始直後のボール１６がクリック１５の溝１５ｂから外れる時に、リンクピン２８と押圧面２２ａ１の接点（力点）がカム２２の回転中心（支点）から離れた位置となるので、レボルバ切換レバー２３の操作力（力量）を小さくできる。
【００６２】
同様に、対物レンズ５の切換操作終了直前のボール１６がクリック１５に迎え入れられる時に、リンクピン２８と押圧面２２ａ１の接点（力点）がカム２２の回転中心（支点）から離れた位置となるので、レボルバ切換レバー２３の操作力（力量）を小さくできる。
【００６３】
（実施の形態２）
実施の形態２では、上述した実施の形態１と同様、顕微鏡の光学素子切換装置を顕微鏡のレボルバ装置に適用した例を図９に基づいて説明する。なお、図９は、本発明の実施の形態２である顕微鏡のレボルバ装置を示す平面図である。
【００６４】
図９に示すように、本発明の実施の形態２である顕微鏡のレボルバ装置１１０は、上述したレボルバ装置１０と同様、対物レンズ（光学素子）を切り換えるためのもので、対物レンズを左右方向に移動することにより、対物レンズを切り換えるようになっている（直動式）。なお、上述した実施の形態１にかかる顕微鏡のレボルバ装置１０と同一の構成については同一の符号を付して説明を省略する。
【００６５】
レボルバ装置１１０は、顕微鏡本体１のアーム先端の下側に固定されたレボルバ本体（本体）１１１と、レボルバ本体１１１に移動自在に設けられたレボルバ移動部（移動体）１１２とを備えている。レボルバ本体１１１には、一対のガイド１１１ｂが設けてある。一対のガイド１１１ｂは、平行となるように配置された断面円形の棒状部材であって、レボルバ移動部１１２に形成されたガイド穴（図示せず）を挿通することにより、レボルバ移動部１１２が左右方向に移動自在となっている。
【００６６】
レボルバ本体１１１には、光路１１１ａが形成してあり、対物レンズを通った光が顕微鏡本体１のアーム先端と鏡筒を経て接眼レンズに届くようになっている。
【００６７】
レボルバ移動部１１２には、複数の対物レンズが装着可能であって、本実施の形態である顕微鏡のレボルバ装置１１０のレボルバ移動部１１２には、５つの対物レンズが装着されるようになっている。具体的には、レボルバ移動部１１２の移動方向、同一直線上であって、等間隔となる位置に対物レンズが装着されるネジ穴１１２ａが５つ形成してある。したがって、レボルバ移動部１１２を図９において左方あるいは右方に移動させると、対物レンズが切り替わることになる。また、レボルバ移動部１１２の後縁部には、ラックギア１１３が形成してある。さらに、レボルバ移動部１１２の右側面部には、操作レバー１１２ｂが取り付けてあり、この操作レバー１１２ｂを直接手動操作することによって、レボルバ移動部１１２を移動させ、対物レンズを切り換えることもできるようになっている。
【００６８】
レボルバ本体１１１とレボルバ移動部１１２との間には、クリック機構１１４が設けてある。クリック機構１１４は、対物レンズを停止位置に正確に停止させるためのもので、本実施の形態にかかるクリック機構１１４は、レボルバ本体１１１に設けたクリック１１５と、レボルバ移動部１１２に設けたボール（図示せず）とにより構成されている。クリック１１５は、レボルバ本体１１１に取り付けた板バネであって、両方向からボールを迎え入れることができるように、両側縁部が斜めに折り曲げてあり、その中央にボールが嵌る溝（図示せず）が設けてある。ボールは、レボルバ移動部１１２の上面に形成された半球形の突起であり、対物レンズの停止位置（切換位置）に対応するように設けてある。そして、対物レンズを切り換える場合には、溝に嵌ったボールが溝から外れ、その後、迎え入れた次のボールが溝に嵌ることになる。
【００６９】
レボルバ移動部１１２の奥方には、駆動ギア２０が配設してある。駆動ギア２０とラックギア１１３との間には、駆動ギア２０と噛合する作動ギア部（大径ギア部）１６１ａと、ラックギア１１３と噛合する従動ギア部（小径ギア部）１６１ｂとを有した減速ギア１６１が設けられている。作動ギア部１６１ａのピッチ円直径は、駆動ギア２０のピッチ円直径の四分の一となるように設定してあり、従動ギア部１６１ｂのピッチ円の長さ（展開長）は、ネジ穴１１２ａとネジ穴１１２ａとの間隔（ピッチ）と同一となるように設定してある。したがって、駆動ギア２０を四分の一回転させると、減速ギア１６１が一回転し、対物レンズが隣りのネジ穴１１２ａに装着された対物レンズに切り替わるようになっている。
【００７０】
上述した実施の形態である顕微鏡のレボルバ装置１１０は、焦準ハンドルの近傍に配設された操作ノブを操作することにより、対物レンズが切り換えられるので、顕微鏡を操作するオペレータは、焦準ハンドルの操作姿勢を崩す必要がない。
【００７１】
また、実施の形態である顕微鏡のレボルバ装置１１０は、上述した実施の形態１に係る顕微鏡のレボルバ装置１０と同様に、ボールがクリック１１５から外れる時、ボールがクリック１１５に嵌る時の操作力量を小さくできる。また、切換操作の途中では、操作ノブの操作量が少なくて済む。
【００７２】
（実施の形態３）
実施の形態３では、顕微鏡の光学素子切換装置を顕微鏡のコンデンサ装置に適用した例を図１０及び図１１に基づいて説明する。なお、図１０は、本発明の実施の形態３である顕微鏡のコンデンサ装置を示す斜視図であり、図１１は、図１０に示したコンデンサ装置の平面図である。また、上述した実施の形態１にかかる顕微鏡のレボルバ装置と同一の構成については同一の符号を付して説明を省略する。
【００７３】
図１０に示すように、本発明の実施の形態３である顕微鏡のコンデンサ装置２１０は、光学素子２０５を切り換えるためのもので、ステージとともに上下動するコンデンサ本体（筐体）２１１と、コンデンサ本体２１１に回転自在に設けたターレット２１２とを備えている。
【００７４】
ターレット２１２は、回転軸２１１ｂによってコンデンサ本体２１１に回転自在に支承されている。ターレット２１２には、複数の光学素子２０５が装着可能であって、本実施の形態であるコンデンサ装置２１０のターレット２１２には、４つの光学素子２０５が装着されるようになっている。具体的には、ターレット２１２の回転中心から同一半径となる位置であって、等間隔となる位置に光学素子２０５が装着されるようになっている。したがって、ターレット２１２を図１０において時計方向あるいは反時計方向に四分の一回転させると、光学素子２０５が切り替わるようになっている。
【００７５】
また、ターレット２１２の外周には、従動ギア２１３が形成してある。従動ギア２１３の歯数は、装着される光学素子２０５の数で割り切れる数であって、本実施の形態では、４で割り切れる歯数を有している。
【００７６】
コンデンサ本体２１１とターレット２１２との間には、クリック機構２１４が設けてある。クリック機構２１４は、光学素子２０５を停止位置に正確に停止させるためのもので、本実施の形態のクリック機構２１４は、コンデンサ本体に取り付けたクリック２１５と、ターレット２１２に設けたボール（図示せず）とにより構成されている。クリック２１５は、コンデンサ本体２１１の上面に取り付けた板バネであって、両方向からボールを迎え入れることができるように、両側縁部が斜めに折り曲げてあり、その中央にボールが嵌る溝が設けてある。ボールは、ターレット２１２の上面に形成された半球形の突起であり、光学素子２０５の停止位置（切換位置）に対応するように設けてある。そして、光学素子２０５を切り換える場合には、溝に嵌ったボールが溝から外れ、その後、迎え入れた次のボールが溝に嵌ることになる。
【００７７】
コンデンサ本体（筐体）２１１の内部には、駆動ギア２０が配設してある。駆動ギア２０は、ターレット２１２を回転させるためのもので、コンデンサ本体２１１に設けられた回転軸２２１の周りに回転自在に取り付けてある。駆動ギア２０と従動ギア２１３（ターレット２１２）との間にはアイドラ２６０が設けてあり、駆動ギア２０が回転するとターレット２１２（従動ギア２１３）が回転するようになっている。アイドラ２６０は、コンデンサ本体２１１に回転自在に支承された回転軸であって、一端に駆動ギア２０と噛合するアイドルギア２６１が設けられ、他端に従動ギア２１３（ターレット２１２）と噛合するアイドルギア２６２が設けられている。駆動ギア２０と駆動ギアに噛合するアイドルギア２６１のギア比は、従動ギア２１３と従動ギアに噛合するアイドルギア２６２のギア比に等しく、駆動ギア２０を一回転させると従動ギア２１３（ターレット２１２）が一回転するようになっている。したがって、駆動ギア２０を図１０において時計方向あるいは反時計方向に四分の一回転させると、光学素子２０５が切り替わるようになっている。
【００７８】
図１１に示すように、駆動ギア２０の上には、駆動ギア２０を図１１において時計方向に回転させるカム２２と切換レバー（光学素子切換操作部）２２３Ｒとが配設してあり、駆動ギア２０の下には、駆動ギア２０を反時計方向に回転させるカム２２と切換レバー２２３Ｌとが配設してある。駆動ギア２０を時計方向に回転させるカム２２と、駆動ギア２０を反時計方向に回転させるカム２２とは、駆動ギア２０を境にして上下反対となるように取り付けたものであり、同一形状を有している。同様に、駆動ギア２０を時計方向に回転させる切換レバー２２３Ｒと、駆動ギア２０を反時計方向に回転させる切換レバー（光学素子切換操作部）２２３Ｌとは、駆動ギア２０を境にして上下反対となるように取り付けたものであり、同一形状を有している。なお、説明の便宜上、切換レバーを図１１において、波線で示すこととする。
【００７９】
図１０に示すように、駆動ギア２０の上に配設した切換レバー２２３Ｒは、駆動ギア２０の回転中心から顕微鏡本体１の右側面に配設された焦準ハンドル７Ｒの近傍まで延在した板状の部材であって、その一端は駆動ギア２０の回転中心となる回転軸２２１の周りに回転可能に取り付けてある。
【００８０】
そして、図１１に示すように、切換レバー２２３Ｒを図１１において時計方向に回転操作すると、操作力は、リンク２５、カム２２の順に伝達され、駆動ギア２０が時計方向に四分の一回転することになる。駆動ギア２０が時計方向に四分の一回転すると、その回転がアイドラ２６０を経由して従動ギア２１３に伝達され、ターレット２１２を時計方向に四分の一回転させることになり、光学素子２０５が切り替わる。
【００８１】
一方、駆動ギア２０の下に配設した切換レバー２２３Ｌは、駆動ギア２０の回転中心から顕微鏡本体１の左側面に配設された焦準ハンドル７Ｌの近傍まで延在した板状の部材であって、その一端は、図１１に示すように、駆動ギア２０の回転中心となる回転軸２２１の周りに回転可能に取り付けてある。
【００８２】
そして、切換レバー２２３Ｌを図１１において反時計方向に回転操作すると、操作力は、リンク２５、カム２２の順に伝達され、駆動ギア２０が反時計方向に四分の一回転することになる。駆動ギア２０が反時計方向に四分の一回転すると、その回転がアイドラ２６０を経由して従動ギア２１３に伝達され、ターレット２１２を反時計方向に四分の一回転させることになり、光学素子２０５が切り替わる。
【００８３】
上述した実施の形態である顕微鏡のコンデンサ装置２１０は、顕微鏡本体の左側面に配設された切換レバー２２３Ｌあるいは顕微鏡本体の右側面に配設された切換レバー２２３Ｒを操作することにより、光学素子２０５が隣りのものと切り替えられるので、顕微鏡を操作するオペレータは操作姿勢を崩す必要がない。
【００８４】
また、本実施の形態である顕微鏡のコンデンサ装置２１０は、上述した実施の形態１にかかる顕微鏡のレボルバ装置１０と同様に、ボールがクリックから外れる時、ボールがクリックに嵌る時の操作力量を小さくできる。また、切換操作の途中では、切換レバーの操作量が少なくて済む。
【００８５】
（実施の形態４）
実施の形態４では、顕微鏡の光学素子切換装置を倒立型顕微鏡のレボルバ装置に適用した例を図１２に基づいて説明する。なお、図１２は、本発明の実施の形態である倒立顕微鏡の模式図である。
【００８６】
図１２に示すように、本発明の実施の形態である顕微鏡は、顕微鏡本体３０１、鏡筒３０２、ステージ３０３を備えている。鏡筒３０２は、顕微鏡本体３０１に設置され、接眼レンズ（図示せず）を介して像が観察されるようになっている。ステージ３０３は、左右方向（Ｘ方向）及び前後方向（Ｙ方向）に移動可能であって、載置された標本を二次元の任意の位置に移動させることができるようになっている。
【００８７】
本発明の実施の形態である顕微鏡のレボルバ装置３１０は、焦準ガイド３０９によって上下方向に移動可能にガイドされ、顕微鏡本体３０１の左側面と右側面とに配設された焦準ハンドル３０７Ｒ，３０７Ｌを操作することにより、レボルバ装置３１０を上下方向（Ｚ方向）に移動させることができるようになっている。
【００８８】
図１２に示すように、本発明の実施の形態３である顕微鏡のレボルバ装置３１０は、対物レンズ（光学素子）３０５を切り換えるためのもので、焦準ガイド３０９の上端から水平方向に延在したレボルバ本体（本体）３１１と、レボルバ本体３１１に回転自在に設けられたレボルバ回転部（移動体）３１２とを備えている。
【００８９】
レボルバ回転部３１２には、複数の対物レンズ３０５が装着可能であって、本実施の形態であるレボルバ装置３１０のレボルバ回転部３１２には４つの対物レンズ３０５が装着されるようになっている。具体的には、レボルバ回転部３１２の回転中心から同一半径となる位置であって、等間隔となる位置に対物レンズ３０５が装着されるネジ穴（図示せず）が形成してある。したがって、レボルバ回転部３１２を四分の一回転させると、対物レンズ３０５が切り替わるようになっている。
【００９０】
また、レボルバ回転部３１２の外周には、従動ギア３１３が形成してある。従動ギア３１３の歯数は、装着される対物レンズ３０５の数で割り切れる数であって、本実施の形態では、４で割り切れる歯数を有している。
【００９１】
レボルバ本体３１１と、レボルバ回転部３１２との間にはクリック機構３１４が設けてある。クリック機構３１４は、対物レンズ３０５を停止位置に正確に停止させるためのもので、本実施の形態のクリック機構３１４は、レボルバ本体３１１に設けたクリック３１５と、レボルバ回転部３１２の下面に設けたボール３１６とにより構成されている。クリック３１５は、レボルバ本体３１１の下面に取り付けた板バネであって、両方向からボール３１６を迎え入れることができるように、両側縁部が斜めに折り曲げてあり、その中央にボール３１６が嵌る溝が設けてある。ボール３１６は、レボルバ回転部３１２の縁部下面に形成された半球形の突起であり、対物レンズ３０５の停止位置（切換位置）に対応するように設けてある。そして、対物レンズ３０５を切り換える場合には、溝に嵌ったボール３１６が溝から外れ、その後、迎え入れた次のボール３１６が溝に嵌ることになる。
【００９２】
レボルバ回転部３１２の右方には、従動ギア３１３と噛合する傘歯車３６１が設けてあり、傘歯車３６１を一回転させると、従動ギア３１３が四分の一回転し、対物レンズ３０５が隣りのものと切り替わるようになっている。この傘歯車３６１は、レボルバ本体３１１の基端部に回転可能に支承された駆動軸３６０の上端部に取り付けられており、レボルバ本体３１１及びレボルバ回転部３１２とともに上下方向に移動するようになっている。なお、レボルバ回転部３１２の回転軸は、焦準ガイド３０９に対して傾いているが、従動ギア３１３と傘歯車３６１とが噛合することにより、駆動軸３６０の延在方向は焦準ガイド３０９のガイド方向と一致するようになっている。
【００９３】
図１３に示すように、駆動軸３６０の下端部には、カム３２２が取り付けてある。カム３２２は、円板形状を呈しており、その回転中心近傍から径外方向に延在する長溝３２２ａを有している。この長溝３２２ａには、作動ピン（リンクピン）３２８が移動可能に嵌め込まれている。図１３に示すように、作動ピン３２８は、駆動軸３６０の下方に設けられ、軸心がＸだけずれた回転軸３２５の端部にＹだけ偏心して取り付けてあり、回転軸３２５が一回転すると作動ピン３２８が回転軸３２５の周りを回転することになる。
【００９４】
図１４に基づいて、より詳細に説明する。なお、図１４は、作動ピンとカムとの関係を示した模式図である。
【００９５】
図１４−１に示すように、回転軸を回転操作する前の待機状態では、作動ピン３２８が駆動軸３６０から最も離れた位置にある。切換操作を開始すると、操作力が、回転軸３２５、作動ピン３２８、カム３２２、駆動軸３６０、傘歯車３６１、従動ギア３１３（レボルバ回転部３１２）の順に伝達され、クリック機構３１４において、クリック３１５の溝からボール３１６が外れるための力が作用することになる。このとき、作動ピン３２８が駆動軸３６０から最も離れた位置でカム３２２を押圧することになるので、少ない操作力量で駆動軸を回転させることができる。
【００９６】
図１４−２に示すように、回転軸３２５を時計方向に四分の一だけ回転させると、作動ピン３２８が駆動軸３６０に徐々に近づくことになるが、ボール３１６がクリック３１５から外れているので、ごくわずかな操作力で駆動軸３６０を回転させることができる。
【００９７】
回転軸３２５を時計方向にさらに四分の一（計二分の一）だけ回転させると、図１４−３に示すように、作動ピン３２８が駆動軸３６０に最も近づくことになるが、ボール３１６がクリック３１５から外れているので、ごくわずかな操作力で駆動軸３６０を大きく回転させることができる。
【００９８】
回転軸３２５を時計方向にさらに四分の一（計四分の三）だけ回転させると、クリック３１５にボール３１６が迎え入れる力が作用することになる。このとき、図１４−４に示すように、作動ピン３２８が駆動軸３６０から徐々に遠ざかることになるので、少ない操作力量で駆動軸３６０を回転させることができる。
【００９９】
図１２に示すように、回転軸３２５の下端部には、従動プーリ３７０が取り付けてある。また、顕微鏡本体３０１（筐体）の内部には、操作ダイヤル（光学素子切換操作部）３８０が回転可能に設けてあり、その一部が顕微鏡本体３０１の左側面から露出するようになっている。操作ダイヤル３８０には、同一の回転軸を有する駆動プーリ３８１が取り付けてあり、操作ダイヤル３８０を回転させると、駆動プーリ３８１が回転するようになっている。
【０１００】
この駆動プーリ３８１と上述した従動プーリ３７０との間には、ベルト３７１が張架してあり、駆動プーリ３８１を四分の一回転すると、従動プーリ３７０が一回転するようになっている。そして、操作ダイヤル３８０から入力された操作力は、従動プーリ３７０に伝達され、回転軸３２５を回転させることになる。
【０１０１】
操作ダイヤル３８０の上面には、対物レンズ３０５と対応するように対物レンズ３０５の装着位置番号３８０ａが付されている。この装着位置番号３８０ａは、図１５に示すように、顕微鏡本体３０１の前面に設けた小窓３０１ａから視認可能であって、この装着位置番号３８０ａを見れば、現在用いられている対物レンズ３０５を識別できる。
【０１０２】
上述した実施の形態である顕微鏡のレボルバ装置３１０は、焦準ハンドル３０７Ｌの近傍に一部が露出した操作ダイヤル３８０を回転操作することにより、対物レンズ３０５が切り換えられるので、顕微鏡の操作姿勢を崩す必要がない。
【０１０３】
また、実施の形態である顕微鏡のレボルバ装置３１０は、上述した実施の形態１にかかる顕微鏡のレボルバ装置１０と同様に、ボール３１６がクリック３１５から外れる時、ボール３１６がクリック３１５に嵌る時の操作力量を小さくできる。
【０１０４】
上述した顕微鏡の光学素子切換装置は、下記の付記１〜付記９に記載した特徴を有するものである。
【０１０５】
（付記１）
本体と、本体に移動自在に設けられ、かつ、光学素子が装着された移動体と、本体と移動体との間に設けられ、移動体の停止位置を規定するクリック機構とを備えた顕微鏡の光学素子切換装置において、
本体に回転軸で回転可能に設けられ、回転軸から径外方向に延在したカム面が押圧されることにより、移動体を移動させるカムと、
カムの回転軸から離隔した位置で回転可能に設けられたリンクと、
リンクの回転中心から径外方向に延在した延在端部に設けられ、前記カム面を径方向に移動しながら押圧するリンクピンと
を備え、
リンクの回転開始直後と回転終了直前とにリンクピンの移動域においてカムの回転軸から径外方向に離隔した位置でリンクピンがカム面を押圧することを特徴とする顕微鏡の光学素子切換装置。
【０１０６】
上述した顕微鏡の光学素子切換装置は、本体に回転軸で回転可能に設けられ、回転軸から径外方向に延在したカム面が押圧されることにより、移動体を移動させるカムと、カムの回転軸から離隔した位置で回転可能に設けられたリンクと、リンクの回転中心から径外方向に延在した延在端部に設けられ、カム面を径方向に移動しながら押圧するリンクピンとを備え、リンクの回転開始直後と回転終了直前とにリンクピンの移動域においてカムの回転軸から径外方向に離隔した位置でリンクピンがカム面を押圧するので、リンクの回転開始直後と回転終了直前、すなわち、光学素子の切換開始直後と切換終了直前とに必要とする操作力量が軽減され、光学素子の切換操作がしやすいものとなる。
【０１０７】
（付記２）
前記カムが四分の一回転した場合に光学素子が切り替わるように移動体が移動することを特徴とする付記１に記載の顕微鏡の光学素子切換装置。
【０１０８】
（付記３）
前記カムが一回転した場合に光学素子が切り替わるように移動体が移動することを特徴とする付記１に記載の顕微鏡の光学素子切換装置。
【０１０９】
（付記４）
カムの回転軸と中心が一致するように本体に固定された内歯歯車と、
前記リンクの外周に設けられ、内歯歯車と噛合するギア部と、
カムの回転軸と同一軸に回転可能に設けられ、前記リンクが回転可能に取り付けられた切換レバーと
を有し、
切換レバーが回転することにより、前記リンクがカムの回転軸の周りを公転するとともに自転することを特徴とする付記１〜３のいずれか一つに記載の顕微鏡の光学素子切換装置。
【０１１０】
（付記５）
移動体に設けられた従動ギアと噛合し、移動体を移動させる駆動ギアを備え、
前記カムが駆動ギアを回転させることを特徴する付記１〜４のいずれか一つに記載の顕微鏡の光学素子切換装置。
【０１１１】
（付記６）
前記リンクにリンクストッパを設けるとともに、前記駆動ギアにギアストッパを設け、前記リンクストッパと前記ギアストッパとを当接させることにより、移動体のオーバーランを阻止することを特徴とする付記５に記載の顕微鏡の光学素子切換装置。
【０１１２】
（付記７）
前記切換レバーは、四節リンクによって焦準ハンドルの近傍に配設した操作レバーに連結されたことを特徴とする付記４に記載の顕微鏡の光学素子切換装置。
【０１１３】
（付記８）
前記リンクピンは、カムを一方向にのみ間欠的に回転させることを特徴とする付記１に記載の顕微鏡の光学素子切換装置。
【符号の説明】
【０１１４】
１    顕微鏡本体
２    鏡筒
３    ステージ
４    接眼レンズ
５    対物レンズ（光学素子）
６    ステージハンドル
７Ｌ，７Ｒ    焦準ハンドル
８Ｌａ，８Ｌｂ，８Ｒａ，８Ｒｂ    操作ノブ（光学素子切換操作部）
１０    レボルバ装置
１１    レボルバ本体（本体）
１１ａ    光路
１２    レボルバ回転部（移動体）
１２ａ    ネジ穴
１３    従動ギア
１４    クリック機構
１５    クリック
１５ａ    側縁部
１５ｂ    溝
１６    ボール
２０    駆動ギア
２０ａ    長溝
２１    回転軸
２２    カム
２２ａ    アーム
２２ａ１    押圧面（カム面）
２２ａ２    退避面（カム面）
２２ｂ    バネ
２３    レボルバ切換レバー
２３ａ    ストッパ
２３ｂ    ストッパ
２３ｃ    バネ
２４    カム凸部
２５    リンク
２５ａ    ギア部
２５ｂ    リンク部
２５ｃ    リンク凸部
２５ｃ１    ストッパ片
２６    内歯歯車
２７    回転軸
２８    リンクピン
３２    ギアストッパ
３２ａ    ストッパ片
４１，４２    リンク
４３    回転軸
４４    操作レバー
４５，４６    リンク
４７    回転軸
４８    操作レバー
５０    セクタギア
５１    セクタギア
５２    回転軸
５３    操作レバー
５４    セクタギア
５５    セクタギア
５６    回転軸
５７    操作レバー
１１０    レボルバ装置
１１１    レボルバ本体（本体）
１１１ａ    光路
１１１ｂ    ガイド
１１２    レボルバ移動部（移動体）
１１２ａ    ネジ穴
１１２ｂ    操作レバー
１１３    ラックギア
１１４    クリック機構
１１５    クリック
１６１    減速ギア
１６１ａ    作動ギア部
１６１ｂ    従動ギア部
２０５    光学素子
２１０    コンデンサ装置
２１１    コンデンサ本体
２１１ｂ    回転軸
２１２    ターレット
２１３    従動ギア
２１４    クリック機構
２１５    クリック
２２３Ｌ    切換レバー（光学素子切換操作部）
２２３Ｒ    切換レバー（光学素子切換操作部）
２６０    アイドラ
２６１    アイドルギア
２６２    アイドルギア
３０１    顕微鏡本体
３０１ａ    小窓
３０２    鏡筒
３０３    ステージ
３０５    対物レンズ（光学素子）
３０７Ｒ，３０７Ｌ    焦準ハンドル
３０９    焦準ガイド
３１０    レボルバ装置
３１１    レボルバ本体（本体）
３１２    レボルバ回転部（移動体）
３１３    従動ギア
３１４    クリック機構
３１５    クリック
３１６    ボール
３２２    カム
３２２ａ    長溝
３２５    回転軸
３２８    作動ピン（リンクピン）
３６０    駆動軸
３６１    傘歯車
３７０    従動プーリ
３７１    ベルト
３８０    操作ダイヤル（光学素子切換操作部）
３８０ａ    装着位置番号
３８１    駆動プーリ
【図１】
2010033025.tif 000003
【図２】
2010033025.tif 000004
【図３】
2010033025.tif 000005
【図４】
2010033025.tif 000006
【図５】
2010033025.tif 000007
【図６】
2010033025.tif 000008
【図７−１】
2010033025.tif 000009
【図７−２】
2010033025.tif 000010
【図７−３】
2010033025.tif 000011
【図７−４】
2010033025.tif 000012
【図７−５】
2010033025.tif 000013
【図８−１】
2010033025.tif 000014
【図８−２】
2010033025.tif 000015
【図８−３】
2010033025.tif 000016
【図８−４】
2010033025.tif 000017
【図９】
2010033025.tif 000018
【図１０】
2010033025.tif 000019
【図１１】
2010033025.tif 000020
【図１２】
2010033025.tif 000021
【図１３】
2010033025.tif 000022
【図１４−１】
2010033025.tif 000023
【図１４−２】
2010033025.tif 000024
【図１４−３】
2010033025.tif 000025
【図１４−４】
2010033025.tif 000026
【図１５】
2010033025.tif 000027
【手続補正書】
【提出日】平成21年7月3日(2009.7.3)
【手続補正１】
【補正対象書類名】図面
【補正対象項目名】図１０
【補正方法】変更
【補正の内容】
【図１０】
2010033025.tif 000028